(57)【要約】【課題】複数のサムネイル画像を表示部に表示する画像処理装置であって、表示部に表示されるサムネイル画像の視認性を向上させることができると共に、一覧表示性の悪化を回避することができる画像処理装置、画像形成装置、画像処理方法及び画像処理プログラムを提供する。【解決手段】複数の表示データにそれぞれ対応する複数のサムネイル画像を表示部に表示する画像処理装置は、複数のサムネイル画像の位置及び／又は倍率に関する設定値を入力する入力操作を受け付ける入力操作受付手段と、複数の表示データのうち対象となるサムネイル画像の表示を、入力された設定値に設定したサムネイル画像の表示に切り替える表示切替手段とを備える。【選択図】図２８
2020135753.tif 000002
【特許請求の範囲】
【請求項１】
複数の表示データにそれぞれ対応する複数のサムネイル画像を表示部に表示する画像処理装置であって、
前記複数のサムネイル画像の位置及び／又は倍率に関する設定値を入力する入力操作を受け付ける入力操作受付手段と、
前記複数の表示データのうち対象となるサムネイル画像の表示を、入力された前記設定値に設定したサムネイル画像の表示に切り替える表示切替手段と
を備えることを特徴とする画像処理装置。
【請求項２】
請求項１に記載の画像処理装置であって、
入力された前記設定値を記憶部に登録する設定値登録手段をさらに備えることを特徴とする画像処理装置。
【請求項３】
請求項２に記載の画像処理装置であって、
前記記憶部には、工場出荷状態の前記位置及び／又は前記倍率に関する初期設定値が予め登録されており、
前記入力操作受付手段は、少なくとも前記初期設定値の前記入力操作を受け付け可能とされていることを特徴とする画像処理装置。
【請求項４】
請求項２又は請求項３に記載の画像処理装置であって、
前記入力操作受付手段は、前記設定値の設定名を入力する入力操作を受け付け、
前記設定値登録手段は、入力された前記設定名を前記記憶部に登録することを特徴とする画像処理装置。
【請求項５】
請求項２から請求項４までの何れか１つに記載の画像処理装置であって、
前記入力操作受付手段は、前記設定値を削除する入力操作を受け付け、
前記設定値登録手段は、削除対象の前記設定値を前記記憶部から削除することを特徴とする画像処理装置。
【請求項６】
請求項２から請求項５までの何れか１つに記載の画像処理装置であって、
前記入力操作受付手段は、前記記憶部に既に登録されている前記設定値を編集する入力操作を受け付けると共に、前記記憶部に既に登録されている前記設定値に上書きするか、又は、前記設定値を前記記憶部に新規に登録するか、を選択する入力操作を受け付け、
前記設定値登録手段は、前記上書きするが選択された場合には、編集された前記設定値を前記記憶部に既に登録されている前記設定値に上書きし、前記新規に登録するが選択された場合には、編集された前記設定値を前記記憶部に新規登録することを特徴とする画像処理装置。
【請求項７】
請求項２から請求項６までの何れか１つに記載の画像処理装置であって、
前記記憶部に登録した前記設定値のうち何れか１つを現在の既定値として指定する既定値指定手段をさらに備え、
前記表示切替手段は、設定した前記サムネイル画像を、指定された前記既定値で前記表示部に表示することを特徴とする画像処理装置。
【請求項８】
請求項７に記載の画像処理装置であって、
前記入力操作受付手段は、複数の反映対象条件のうち何れか１つを選択する入力操作を受け付け、
前記表示切替手段は、選択された前記反映対象条件の前記表示データに対応する前記サムネイル画像を前記設定値で前記表示部に表示することを特徴とする画像処理装置。
【請求項９】
請求項８に記載の画像処理装置であって、
前記記憶部には、前記表示データを保存しておく複数のフォルダが設けられており、
前記入力操作受付手段は、前記反映対象条件として、特定のフォルダか否かを選択する入力操作を受け付け、
前記表示切替手段は、前記特定のフォルダが選択された場合には、前記複数のフォルダのうちの特定のフォルダに保存されている前記表示データに対応する前記サムネイル画像を前記設定値で前記表示部に表示することを特徴とする画像処理装置。
【請求項１０】
請求項８又は請求項９に記載の画像処理装置であって、
前記記憶部には、前記表示データを保存しておく複数のフォルダが設けられており、
前記入力操作受付手段は、前記反映対象条件として、すべてのフォルダか否かを選択する入力操作を受け付け、
前記表示切替手段は、前記すべてのフォルダが選択された場合には、現在の前記既定値を前記設定値に変更することを特徴とする画像処理装置。
【請求項１１】
請求項８から請求項１０までの何れか１つに記載の画像処理装置であって、
前記入力操作受付手段は、複数の反映時期条件のうち何れか１つを選択する入力操作を受け付け、
前記表示切替手段は、選択された前記反映時期条件で前記サムネイル画像を前記設定値で前記表示部に表示することを特徴とする画像処理装置。
【請求項１２】
請求項１１に記載の画像処理装置であって、
前記入力操作受付手段は、前記反映時期条件として、設定時のみか、又は、常時か、を選択する入力操作を受け付け、
前記表示切替手段は、前記設定時のみが選択された場合には、設定時のみ、前記サムネイル画像を前記設定値で前記表示部に表示し、前記常時が選択された場合には、常時、前記サムネイル画像を前記設定値で前記表示部に表示することを特徴とする画像処理装置。
【請求項１３】
請求項２から請求項１２までの何れか１つに記載の画像処理装置であって、
前記設定値登録手段は、前記設定値を前記記憶部に登録するユーザーを制限することを特徴とする画像処理装置。
【請求項１４】
請求項１から請求項１３までの何れか１つに記載の画像処理装置であって、
前記設定値は、前記複数のサムネイル画像の所定の基準点と、基準倍率より大きい所定の拡大率とを含み、
前記入力操作受付手段は、前記基準点及び前記拡大率を入力する入力操作を受け付け、
前記表示切替手段は、前記サムネイル画像を、前記サムネイル画像の表示サイズを維持した状態で、入力された前記基準点を固定しつつ入力された前記拡大率に拡大することを特徴とする画像処理装置。
【請求項１５】
請求項１から請求項１４までの何れか１つに記載の画像処理装置であって、
前記設定値は、前記複数のサムネイル画像の回転角度を含み、
前記入力操作受付手段は、前記回転角度を入力する入力操作を受け付け、
前記表示切替手段は、前記サムネイル画像を、入力された前記回転角度に回転することを特徴とする画像処理装置。
【請求項１６】
請求項１から請求項１５までの何れか１つに記載の画像処理装置であって、
前記入力操作受付手段は、前記設定値の設定画面において切り替えた前記サムネイル画像をプレビュー表示することを特徴とする画像処理装置。
【請求項１７】
請求項１から請求項１６までの何れか１つに記載の画像処理装置を備えたことを特徴とする画像形成装置。
【請求項１８】
複数の表示データにそれぞれ対応する複数のサムネイル画像を表示部に表示する画像処理方法であって、
前記複数のサムネイル画像の位置及び／又は倍率に関する設定値を入力する入力操作を受け付ける入力操作受付ステップと、
前記複数の表示データのうち対象となるサムネイル画像の表示を、入力された前記設定値に設定したサムネイル画像の表示に切り替える表示切替ステップと
を含むことを特徴とする画像処理方法。
【請求項１９】
複数の表示データにそれぞれ対応する複数のサムネイル画像を表示部に表示する画像処理プログラムであって、
前記複数のサムネイル画像の位置及び／又は倍率に関する設定値を入力する入力操作を受け付ける入力操作受付ステップと、
前記複数の表示データのうち対象となるサムネイル画像の表示を、入力された前記設定値に設定したサムネイル画像の表示に切り替える表示切替ステップと
を含む各ステップを制御部に実行させることを特徴とする画像処理プログラム。
【発明の詳細な説明】
【技術分野】
【０００１】
本発明は、画像処理装置、画像処理装置を備えた複写機や複合機等の画像形成装置、画像処理方法及び画像処理プログラムに関する。
【背景技術】
【０００２】
複数の表示データを表示部（一つの画面）に同時に表示する場合には、複数の表示データからそれぞれ生成された複数の縮小画像（いわゆるサムネイル画像）を表示部に表示することが多い。
【０００３】
このように、複数のサムネイル画像を表示部に表示する場合おいては、表示される複数のサムネイル画像のサイズを大きくすると、同時に表示するサムネイル画像の数が減り、サムネイル画像の一覧表示性が悪化する。また、サムネイル画像は元の表示データからの縮小画像であるので、視認性が良くない。例えば、見積書等の書類関係といった類似のサムネイル画像が並ぶとこれらのサムネイル画像の差異が判別し難い。
【０００４】
この点に関し、特許文献１には、表示部のサブ画面にてサムネイル画像の中のマウスカーソルの位置をスクロール位置とし、スクロール位置がメイン画面においてスクロール位置を中心として所定の倍率で拡大表示される点（段落［００２６］参照）が開示されている。
【先行技術文献】
【特許文献】
【０００５】
【特許文献１】特開２００８−７７２１０号公報
【発明の概要】
【発明が解決しようとする課題】
【０００６】
しかしながら、特許文献１に記載の構成では、メイン画面においてサムネイル画像を拡大表示するため、視認性に優れるものの、表示部にサブ画面とメイン画面との２つの画面を用いる必要がある。このため、同時に表示するサムネイル画像の数が減り、サムネイル画像の一覧表示性が悪化する。
【０００７】
そこで、本発明は、複数のサムネイル画像を表示部に表示する画像処理装置であって、表示部に表示されるサムネイル画像の視認性を向上させることができると共に、一覧表示性の悪化を回避することができる画像処理装置、画像形成装置、画像処理方法及び画像処理プログラムを提供することを目的とする。
【課題を解決するための手段】
【０００８】
前記課題を解決するために、本発明は、次の画像処理装置、画像形成装置、画像処理方法及び画像処理プログラムを提供する。
【０００９】
（１）画像処理装置
本発明に係る画像処理装置は、複数の表示データにそれぞれ対応する複数のサムネイル画像を表示部に表示する画像処理装置であって、前記複数のサムネイル画像の位置及び／又は倍率に関する設定値を入力する入力操作を受け付ける入力操作受付手段と、前記複数の表示データのうち対象となるサムネイル画像の表示を、入力された前記設定値に設定したサムネイル画像の表示に切り替える表示切替手段とを備えることを特徴とする。
【００１０】
（２）画像形成装置
本発明に係る画像形成装置は、前記本発明に係る画像処理装置を備えたことを特徴とする。
【００１１】
（３）画像処理方法
本発明に係る画像処理方法は、複数の表示データにそれぞれ対応する複数のサムネイル画像を表示部に表示する画像処理方法であって、前記複数のサムネイル画像の位置及び／又は倍率に関する設定値を入力する入力操作を受け付ける入力操作受付ステップと、前記複数の表示データのうち対象となるサムネイル画像の表示を、入力された前記設定値に設定したサムネイル画像の表示に切り替える表示切替ステップとを含むことを特徴とする。
【００１２】
（４）画像処理プログラム
本発明に係る画像処理プログラムは、複数の表示データにそれぞれ対応する複数のサムネイル画像を表示部に表示する画像処理プログラムであって、前記複数のサムネイル画像の位置及び／又は倍率に関する設定値を入力する入力操作を受け付ける入力操作受付ステップと、前記複数の表示データのうち対象となるサムネイル画像の表示を、入力された前記設定値に設定したサムネイル画像の表示に切り替える表示切替ステップとを含む各ステップを制御部に実行させることを特徴とする。
【発明の効果】
【００１３】
本発明によると、表示部に表示されるサムネイル画像の視認性を向上させることができると共に、一覧表示性の悪化を回避することが可能となる。
【図面の簡単な説明】
【００１４】
【図１】本発明の実施の形態に係る画像処理装置を備えた画像形成装置の一例を示す斜視図である。
【図２】図２に示す画像処理装置のシステム構成の一例を示すブロック図である。
【図３】表示データに対応する表示画像の一例の基準点を示す平面図である。
【図４】図３に示す表示画像に対応するサムネイル画像（倍率１００％）を表示した平面図である。
【図５】図３に示すサムネイル画像において左上の基準点を固定した状態において拡大率（４００％）で設定したサムネイル画像を表示した平面図である。
【図６】図３に示すサムネイル画像において中央の基準点を固定した状態において拡大率（４００％）で設定したサムネイル画像を表示した平面図である。
【図７】図３に示すサムネイル画像において右下の基準点を固定した状態において拡大率（４００％）で設定したサムネイル画像を表示した平面図である。
【図８】表示部に表示される第１画面の例を示す正面図である。
【図９】表示部に表示される第２画面の例を示す正面図である。
【図１０】表示部に表示される第３画面の例を示す正面図である。
【図１１】表示部に表示される第４画面の例を示す正面図である。
【図１２】表示部に表示される第５画面の例を示す正面図である。
【図１３】表示部に表示される第６画面の例を示す正面図である。
【図１４】表示部に表示される第７画面の例を示す正面図である。
【図１５】表示部に表示される第８画面の例を示す正面図である。
【図１６】表示部に表示される第９画面の例を示す正面図である。
【図１７】表示部に表示される第１０画面の例を示す正面図である。
【図１８】表示部に表示される第１１画面の例を示す正面図である。
【図１９】表示部に表示される第１２画面の例を示す正面図である。
【図２０】表示部に表示される第１３画面の例を示す正面図である。
【図２１】表示部に表示される第１４画面の例を示す正面図である。
【図２２】表示部に表示される第１５画面の例を示す正面図である。
【図２３】表示部に表示される第１６画面の例を示す正面図である。
【図２４】表示部に表示される第１７画面の例を示す正面図である。
【図２５】表示部に表示される第１８画面の例を示す正面図である。
【図２６】表示部に表示される第１９画面の例を示す正面図である。
【図２７】表示部に表示される第２０画面の例を示す正面図である。
【図２８】表示部に表示される第２１画面の例を示す正面図である。
【図２９】表示部に表示される第２２画面の例を示す正面図である。
【図３０】表示部に表示される第２３画面の例を示す正面図である。
【図３１】設定値としてサムネイル画像の回転角度を用いた例を説明するための説明図である。
【発明を実施するための形態】
【００１５】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１６】
図１は、本発明の実施の形態に係る画像処理装置１６を備えた画像形成装置１０の一例を示す斜視図である。図２は、図２に示す画像処理装置１６のシステム構成の一例を示すブロック図である。
【００１７】
画像形成装置１０は、画像形成機能（プリンタ機能）、スキャナ機能、コピー機能（原稿複写機能）を有している。画像形成装置１０は、画像読取部１１と、給紙部１２と、画像形成部１３と、排紙部１４と、操作表示部１５と、画像処理装置１６（図２参照）とを備えている。
【００１８】
画像読取部１１は、原稿の画像を読み取るものであり、原稿搬送部１１ａと、原稿読取部１１ｂとを備えている。画像読取部１１は、原稿搬送部１１ａにて原稿を搬送しつつ原稿の画像を原稿読取部１１ｂで読み取るか、又は、原稿読取部１１ｂの原稿台上に載置された原稿を原稿読取部１１ｂでスキャンして読み取る。給紙部１２は、用紙を画像形成部１３に向けて搬送する。画像形成部１３は、画像データに基づいて給紙部１２から送られてきた用紙に画像を形成（印刷）する。排紙部１４は、画像形成部１３にて画像形成した用紙を排紙する。
【００１９】
操作表示部１５は、ユーザーの操作を受け付けると共に、表示データＤＤ〔ＤＤ（１）〜ＤＤ（ｎ）（ｎは２以上の整数）〕（図２参照）に基づいて表示画面に各種情報を表示する。操作表示部１５は、ハードウェアーキー１５ａと、表示部１５ｂ（表示パネル）と、表示部１５ｂ上に設けられたタッチパネル１５ｃと、情報入出力部１５ｄとを含んでいる。操作表示部１５は、表示部１５ｂに表示される各種ソフトウェアキーへの使用者のタッチ操作をタッチパネル１５ｃで受け付ける。情報入出力部１５ｄは、接続型のインターフェイスであり、ＵＳＢ（登録商標）メモリーＭ等の外部記憶装置に記録されている情報を読み取る及び書き出すためのポート（ＵＳＢポート）を含んでいる。
【００２０】
本実施の形態において、画像形成装置１０は、コピー（原稿複写）、プリント、ファクシミリ、スキャナなどの通常サービスを利用者に提供するだけでなく、各種のサービスを利用者に提供する。例えば、画像形成装置１０は、ＵＳＢメモリーＭから複数の表示データが情報入出力部１５ｄを介して入力される。複数の表示データＤＤが入力された画像形成装置１０は、複数の表示データＤＤからそれぞれ生成された複数の縮小画像（いわゆるサムネイル画像）を表示部１５ｂに表示する。このサムネイル画像の表示については後ほど詳述する。
【００２１】
−画像処理装置のハードウェア構成−
図２に示すように、画像処理装置１６は、制御部１６１と、記憶部１６２とを備えている。画像読取部１１及び操作表示部１５は、制御部１６１に電気的に接続されている。
【００２２】
（制御部）
制御部１６１は、ＣＰＵ（Ｃｅｎｔｒａｌ  Ｐｒｏｃｅｓｓｉｎｇ  Ｕｎｉｔ）等のコンピュータからなっている。制御部１６１は、記憶部１６２に予め格納（インストール）された画像処理プログラムＩＰを実行することによって、制御部１６１に必要な各種の機能を実現するように構成されている。制御部１６１は、記憶部１６２のＲＯＭ（Ｒｅａｄ  Ｏｎｌｙ  Ｍｅｍｏｒｙ）に予め格納された画像処理プログラムＩＰを記憶部１６２のＲＡＭ（Ｒａｎｄｏｍ  Ａｃｃｅｓｓ  Ｍｅｍｏｒｙ）上にロードして実行することにより、複数の表示データにそれぞれ対応する複数のサムネイル画像の表示などの画像処理制御を行う。
【００２３】
また、制御部１６１は、ユーザーの指による表示部１５ｂ上のタッチパネル１５ｃのタッチ操作を受け付けると、操作位置をタッチパネル１５ｃで読み取り、表示部１５ｂ上の操作位置に表示された操作ボタンが押されたとみなして処理を行う。
【００２４】
（記憶部）
記憶部１６２は、制御部１６１の指示の下、情報が書き込まれる書き込み制御及び情報が読み出される読み出し制御がなされる。記憶部１６２は、この例では、ハードディスクやフラッシュメモリ等の大容量記憶装置とされている。記憶部１６２には、画像処理プログラムＩＰが予め格納（インストール）されている。
【００２５】
また、記憶部１６２には、例えば、外部記憶媒体から取り込んだ写真データ、ワードプロセッサ用ファイルデータや、表計算用ファールデータ等のファイルデータ等の表示データＤＤ（１）〜ＤＤ（ｎ）が格納される。
【００２６】
−画像処理装置のソフトウェア構成−
制御部１６１は、入力操作受付手段Ｐ１と、表示切替手段Ｐ２と、設定値登録手段Ｐ３と、既定値指定手段Ｐ４とを備える手段として機能する。すなわち、画像処理プログラムＩＰは、入力操作受付手段Ｐ１に対応する入力操作受付ステップと、表示切替手段Ｐ２に対応する表示切替ステップと、設定値登録手段Ｐ３に対応する設定値登録ステップと、既定値指定手段Ｐ４に対応する既定値指定ステップとを含む各ステップを制御部１６１に実行させる。
【００２７】
図３は、表示データＤＤに対応する表示画像ＩＭの一例の基準点Ｑを示す平面図である。図３において、基準点Ｑ〔Ｑ（１）〜Ｑ（ｍ）（ｍは２以上の整数、この例ではｍ＝９）〕は、それぞれ、左上、中央上、右上、左中央、中央、右中央、左下、中央下、右下を表している。図４は、図３に示す表示画像ＩＭに対応するサムネイル画像ＳＩ（倍率１００％）を表示した平面図である。図５から図７は、それぞれ、図３に示すサムネイル画像ＳＩにおいて左上の基準点Ｑ（１）、中央の基準点Ｑ（５）、右下の基準点Ｑ（９）を固定した状態において拡大率ＥＲ（４００％）で設定したサムネイル画像ＳＩを表示した平面図である。
【００２８】
また、図８から図３０は、表示部１５ｂに表示される第１画面Ｇ１から第２３画面Ｇ２３の例を示す正面図である。
【００２９】
画像処理装置１６は、複数の表示データＤＤ（１）〜ＤＤ（ｎ）にそれぞれ対応する複数のサムネイル画像ＳＩ〔ＳＩ（１）〜ＳＩ（ｎ）〕を表示部１５ｂに表示する。入力操作受付手段Ｐ１は、複数のサムネイル画像ＳＩ（１）〜ＳＩ（ｎ）の位置及び／又は倍率に関する設定値〔基準点Ｑ（１）〜Ｑ（９）、拡大率ＥＲ〕を入力する入力操作を受け付ける。表示切替手段Ｐ２は、複数の表示データＤＤ（１）〜ＤＤ（ｎ）のうち対象となるサムネイル画像ＳＩ（１）〜ＳＩ（ｉ）（ｉは１からｎまでの整数、この例ではｉ＝３）の表示を、入力された設定値〔基準点Ｑ（１）〜Ｑ（９）、拡大率ＥＲ〕に設定したサムネイル画像ＳＩ（１）〜ＳＩ（ｉ）の表示に切り替える。
【００３０】
ここで、「対象となるサムネイル画像」としては、それには限定されないが、例えば、次のものを例示できる。
［１］すべてのフォルダに保存されているすべての表示データＤＤ（１）〜ＤＤ（ｎ）に対応するすべてのサムネイル画像ＳＩ（１）〜ＳＩ（ｎ）。
［２］特定のフォルダに保存されている表示データＤＤ（１）〜ＤＤ（ｉ）に対応するサムネイル画像ＳＩ（１）〜ＳＩ（ｉ）。
［３］すべての表示データＤＤ（１）〜ＤＤ（ｎ）のうち入力された特定の文字（例えば決済書という文字）を含むファイル名の表示データＤＤ（１）〜ＤＤ（ｉ）に対応するサムネイル画像ＳＩ（１）〜ＳＩ（ｉ）。
［４］特定の表示データＤＤ（１）〜ＤＤ（ｉ）のうち入力された特定の文字（例えば決済書という文字）を含むファイル名の表示データＤＤ（１）〜ＤＤ（ｊ）（ｊは１からｉまでの整数）に対応するサムネイル画像ＳＩ（１）〜ＳＩ（ｊ）。
［５］表示するサムネイル画像ＳＩ（１）〜ＳＩ（ｎ）の数が１画面の表示数ｋ（ｋは２以上の整数）を超える場合でのスクロール画面内のサムネイル画像ＳＩ（１）〜ＳＩ（ｉ）。
【００３１】
本実施の形態によれば、複数の表示データＤＤ（１）〜ＤＤ（ｎ）のうち対象となるサムネイル画像ＳＩ（１）〜ＳＩ（ｉ）の表示を、サムネイル画像ＳＩ（１）〜ＳＩ（ｉ）の位置及び／又は倍率に関する設定値〔基準点Ｑ（１）〜Ｑ（９）、拡大率ＥＲ〕に設定したサムネイル画像ＳＩ（１）〜ＳＩ（ｉ）の表示に切り替えるので、表示部１５ｂに表示されるサムネイル画像ＳＩ（１）〜ＳＩ（ｉ）の視認性を向上させることができる。しかも、対象となるサムネイル画像の表示を、入力された設定値に設定したサムネイル画像ＳＩ（１）〜ＳＩ（ｉ）の表示に切り替えるので、表示部１５ｂに表示されるサムネイル画像ＳＩ（１）〜ＳＩ（ｉ）の一覧表示性の悪化を回避することができる。
【００３２】
−サムネイル画像の設定操作−
次に、サムネイル画像の設定操作の一例について、図８から図３０を参照しながら具体的に説明する。
【００３３】
複数の表示データＤＤ（１）〜ＤＤ（ｎ）が入力された画像形成装置１０は、複数の表示データＤＤ（１）〜ＤＤ（ｎ）のうち対象となるサムネイル画像ＳＩ（１）〜ＳＩ（３）を第１画面Ｇ１（図８参照）に表示する。なお、画像形成装置１０は、この例では、工場出荷状態のものであり、初期設定値〔基準点Ｑ（１）（左上）、拡大率ＥＲ＝１００％〕が記憶部１６２に予め登録されている。
【００３４】
＜第１画面＞
図８に示す第１画面Ｇ１（サムネイル画像表示画面）では、制御部１６１は、表示欄Ｇａには初期設定値〔基準点Ｑ（１）（左上）、拡大率ＥＲ＝１００％〕に設定したサムネイル画像ＳＩ（１）〜ＳＩ（３）を表示し、設定値のプルダウンメニューＧｂには「初期設定値」のみを表示する。第１画面Ｇ１において、ユーザーが「管理者用マーク」ボタンＢＴ１をタッチすると、表示画面が第２画面Ｇ２（図９参照）に移行する。
【００３５】
＜第２画面＞
図９に示す第２画面Ｇ２（設定値の管理画面）では、制御部１６１は、登録表示欄Ｇｃに、記憶部１６２に登録されている設定値を表示する。ここでは「初期設定値」のみが表示される。第２画面Ｇ２において、ユーザーが「キャンセル」ボタンＢＴ２をタッチすると、表示画面が第１画面Ｇ１に戻る。一方、ユーザーが「新規追加」ボタンＢＴ３をタッチすると、表示画面が第３画面Ｇ３（図１０参照）に移行する。
【００３６】
＜第３画面＞
図１０に示す第３画面Ｇ３（設定値の登録画面）では、制御部１６１は、設定欄Ｇｄに設定値（設定名ＳＮ、拡大率ＥＲ、基準点Ｑ）を現在の既定値で表示し、表示例欄Ｇｅには設定値で設定したサムネイル画像ＳＩ（１）の表示例を表示する。ここで、既定値は、特に指定しない限り、記憶部１６２に記憶されている表示データＤＤ（１）〜ＤＤ（ｎ）のすべてに適用する設定値である。表示例欄Ｇｅに表示される表示データＤＤのサムネイル画像ＳＩは、例えば、フォルダ内に一番始めに存在する表示データＤＤ（１）のサムネイル画像ＳＩ（１）とすることができる。
【００３７】
第３画面Ｇ３において、ユーザーが「キャンセル」ボタンＢＴ４をタッチすると、表示画面が第２画面Ｇ２に戻る。
【００３８】
＜第４画面＞
一方、図１１に示す第４画面Ｇ４のように、ユーザーが設定値〔設定名ＳＮ（「右上４００％＿発行番号確認」）、拡大率ＥＲ（「４００％」）、基準点Ｑ（「右上」）〕を入力すると、制御部１６１は、表示例欄Ｇｅに、入力された基準点Ｑ（「右上」）を固定した状態で、入力された拡大率ＥＲ（「４００％」）のサムネイル画像ＳＩ（１）を表示する。次に、ユーザーが「登録」ボタンＢＴ５をタッチすると、制御部１６１は、入力された設定値（設定名ＳＮ、拡大率ＥＲ、基準点Ｑ）を記憶部１６２に登録し、表示画面が第５画面Ｇ５（図１２参照）に戻る。
【００３９】
＜第５画面＞
図１２に示す第５画面Ｇ５（設定値の管理画面）では、制御部１６１は、登録表示欄Ｇｃに、記憶部１６２に登録されている設定値を表示する。ここでは「初期設定値」及び「右上４００％＿発行番号確認」が一覧表示される。
【００４０】
＜第６画面＞
同様にして、ユーザーが各種の設定値を記憶部１６２に登録していくと、表示画面が図１３に示す第６画面Ｇ６のような設定値の管理画面となる。図１３に示す第６画面Ｇ６（設定値の管理画面）では、例えば、登録表示欄Ｇｃに「初期設定値」、「右上４００％＿発行番号確認」、「サイン確認」及び「右下２００％＿捺印確認」が一覧表示される。
【００４１】
＜第７画面＞
次に、設定値を削除する場合、例えば、「右上４００％＿発行番号確認」を削除する場合には、図１４に示す第７画面Ｇ７のように、ユーザーが「右上４００％＿発行番号確認」のチェックボックスにチェックを入れて、「削除」ボタンＢＴ６をタッチすると、制御部１６１は、チェックされた「右上４００％＿発行番号確認」の設定値（設定名ＳＮ、拡大率ＥＲ、基準点Ｑ）を記憶部１６２から削除し、表示画面が第８画面Ｇ８（図１５参照）に移行する。
【００４２】
＜第８画面＞
図１５に示す第８画面Ｇ８（設定値の管理画面）では、例えば、登録表示欄Ｇｃに「初期設定値」、「サイン確認」及び「右下２００％＿捺印確認」が一覧表示される。
【００４３】
＜第９画面＞
また、前述した通り、設定値を新規登録する場合には、図１６に示す第９画面Ｇ９のように、ユーザーが「新規追加」ボタンＢＴ３をタッチする。そうすると、表示画面が第１０画面Ｇ１０（図１７参照）に移行する。
【００４４】
＜第１０画面＞
図１７に示す第１０画面Ｇ１０（設定値の登録画面）では、設定値〔設定名ＳＮ（「右上４００％＿発行番号確認」）、拡大率ＥＲ（「４００％」）、基準点Ｑ（「右上」）〕が入力されると、制御部１６１は、入力された設定値のサムネイル画像ＳＩ（１）を表示例欄Ｇｅに表示する。ユーザーが「登録」ボタンＢＴ５をタッチすると、制御部１６１は、入力された設定値（設定名ＳＮ、拡大率ＥＲ、基準点Ｑ）を記憶部１６２に登録し、表示画面が第１１画面Ｇ１１（図１８参照）に戻る。
【００４５】
＜第１１画面＞
次に、図１８に示す第１１画面Ｇ１１（設定値の管理画面）では、「初期設定値」、「サイン確認」、「右下２００％＿捺印確認」及び「右上４００％＿発行番号確認」が一覧表示される。
【００４６】
＜第１２画面＞
次に、設定値を編集する場合、例えば、「右下２００％＿捺印確認」を編集する場合には、図１９に示す第１２画面Ｇ１２（設定値の管理画面）のように、ユーザーが「右下２００％＿捺印確認」のチェックボックスにチェックを入れて、「編集」ボタンＢＴ７をタッチすると、表示画面が第１３画面Ｇ１３（図２０参照）に移行する。
【００４７】
＜第１３画面＞
図２０に示す第１３画面Ｇ１３（設定値の登録画面）において、ユーザーが「キャンセル」ボタンＢＴ４をタッチすると、表示画面が第１２画面Ｇ１２に戻る。
【００４８】
＜第１４画面＞
一方、図２１に示す第１４画面Ｇ１４のように、ユーザーが設定値〔設定名ＳＮ（「右下３００％＿捺印確認」）、拡大率ＥＲ（「３００％」）、基準点Ｑ（「右下」）〕を入力すると、制御部１６１は、表示例欄Ｇｅに、入力された基準点Ｑ（「右下」）を固定した状態で、入力された拡大率ＥＲ（「３００％」）のサムネイル画像ＳＩ（１）を表示する。次に、ユーザーが「登録」ボタンＢＴ５をタッチすると、表示画面が第１５画面Ｇ１５（図２２参照）に移行する。
【００４９】
＜第１５画面＞
図２２に示す第１５画面Ｇ１５では、制御部１６１は、表示画面上にダイアログボックスＤＢ１を表示する。ダイアログボックスＤＢ１において、制御部１６１は、「このファイルに上書きする」（記憶部１６２に既に登録されている設定値に該設定値を編集した設定値に「上書き」するか）、又は、「新規登録する」（設定値を記憶部１６２に「新規登録」するか）の選択操作を受け付ける。ユーザーが「このファイルに上書きする」を選択して「ＯＫ」ボタンＢＴ８をタッチすると、制御部１６１は、編集された設定値（設定名ＳＮ、拡大率ＥＲ、基準点Ｑ）を記憶部１６２に上書き登録する。一方、ユーザーが「新規登録する」を選択して「ＯＫ」ボタンＢＴ８をタッチすると、制御部１６１は、編集された設定値（設定名ＳＮ、拡大率ＥＲ、基準点Ｑ）を記憶部１６２に新規登録する。そして、表示画面が第１６画面Ｇ１６（図２３参照）に戻る。
【００５０】
＜第１６画面＞
図２３に示す第１６画面Ｇ１６（設定値の管理画面）では、制御部１６１は、登録表示欄Ｇｃに、記憶部１６２に登録されている設定値を表示する。この例では、ユーザーが「このファイルに上書きする」を選択し、制御部１６１は、「初期設定値」、「サイン確認」、「右下３００％＿捺印確認」及び「右上４００％＿発行番号確認」を表示する。そして、第１６画面Ｇ１６において、ユーザーが「キャンセル」ボタンＢＴ２をタッチすると、表示画面が第１７画面Ｇ１７に戻る。
【００５１】
＜第１７画面＞
図２４に示す第１７画面Ｇ１７（サムネイル画像表示画面）では、現在の既定値が初期設定値であるから、図８に示す第１画面Ｇ１と同様、表示欄Ｇａには、初期設定値〔基準点Ｑ（１）（左上）、拡大率ＥＲ＝１００％〕に設定したサムネイル画像ＳＩ（１）〜ＳＩ（３）が表示される。
【００５２】
＜第１８画面＞
そして、設定値のプルダウンメニューＧｂには、図２５に示す第１８画面Ｇ１８のように、「初期設定値」、「サイン確認」、「右下３００％＿捺印確認」及び「右上４００％＿発行番号確認」が表示される。
【００５３】
＜第１９画面＞
設定値のプルダウンメニューＧｂにおいて、図２６に示す第１９画面Ｇ１９のように、ユーザーが「初期設定値」以外のメニュー（「サイン確認」、「右下３００％＿捺印確認」及び「右上４００％＿発行番号確認」）のうち何れか（例えば「右上４００％＿発行番号確認」）を選択すると、表示画面が第２０画面Ｇ２０（図２７参照）に移行する。
【００５４】
＜第２０画面＞
図２７に示す第２０画面Ｇ２０では、制御部１６１は、表示画面上にダイアログボックスＤＢ２を表示する。ダイアログボックスＤＢ２において、制御部１６１は、反映対象条件として、「今回のみこのフォルダに適用する」（設定値のみ「特定のフォルダ」を選択するか）、「常にこのフォルダに適用する」（常時「特定のフォルダ」を選択するか）、又は、「すべてのフォルダに適用する」（＝既定値の変更）（常時「すべてのフォルダ」を選択するか）の選択操作を受け付ける。ここで、「特定のフォルダ」とはフォルダ単位で（現在のフォルダ、この例では「３月」フォルダに）保存されている表示データＤＤ（１）〜ＤＤ（ｉ）に設定値を適用することを意味する。「すべてのフォルダ」とは記憶部１６２に記憶されているすべての表示データＤＤ（１）〜ＤＤ（ｎ）に設定値を適用することを意味する。
【００５５】
ユーザーが「今回のみこのフォルダに適用する」、「常にこのフォルダに適用する」及び「すべてのフォルダに適用する（＝既定値の変更）」のうち何れか１つを選択して「ＯＫ」ボタンＢＴ９をタッチすると、表示画面が第２１画面Ｇ２１（図２８参照）に戻る。
【００５６】
＜第２１画面＞
図２８に示す第２１画面Ｇ２１（サムネイル画像表示画面）では、例えば、図２７に示す第２０画面Ｇ２０においてユーザーが「今回のみこのフォルダに適用する」を選択した場合には、制御部１６１は、表示欄Ｇａに、このフォルダ（「３月」フォルダ）に保存されている表示データＤＤ（１）〜ＤＤ（３）に対応するサムネイル画像ＳＩ（１）〜ＳＩ（３）を、今回のみ（設定時のみ）、選択された設定値（既定値以外の設定値）で表示部１５ｂに表示する。また、図２７に示す第２０画面Ｇ２０においてユーザーが「常にこのフォルダに適用する」を選択した場合には、制御部１６１は、表示欄Ｇａに、このフォルダ（「３月」フォルダ）に保存されている表示データＤＤ（１）〜ＤＤ（３）に対応するサムネイル画像ＳＩ（１）〜ＳＩ（３）を、常に（常時）、選択された設定値（既定値以外の設定値）で表示部１５ｂに表示する。また、図２７に示す第２０画面Ｇ２０においてユーザーが「すべてのフォルダに適用する（＝既定値の変更）」を選択した場合には、制御部１６１は、表示欄Ｇａに、すべてのフォルダに保存されている表示データＤＤ（１）〜ＤＤ（ｎ）に対応するサムネイル画像ＳＩ（１）〜ＳＩ（ｎ）を、常に（常時）、選択された設定値（既定値以外の設定値）で表示部１５ｂに表示する。この例では、表示欄Ｇａには「右上４００％＿発行番号確認」の設定値〔基準点Ｑ（３）（右上）、拡大率ＥＲ＝４００％〕に設定したサムネイル画像ＳＩ（１）〜ＳＩ（３）が表示される。
【００５７】
＜第２２画面＞
例えば、図２７に示す第２０画面Ｇ２０においてユーザーが「今回のみこのフォルダに適用する」を選択した場合には、制御部１６１は、反映対象条件の「３月」フォルダの設定値を元の既定値に戻し、すべてのフォルダの既定値を維持する。また、図２７に示す第２０画面Ｇ２０においてユーザーが「常にこのフォルダに適用する」を選択した場合には、制御部１６１は、反映対象条件の「３月」フォルダの既定値を、選択された設定値に変更し、他のフォルダの既定値を維持する。また、図２７に示す第２０画面Ｇ２０においてユーザーが「すべてのフォルダに適用する（＝既定値の変更）」を選択した場合には、図２９に示す第２２画面Ｇ２２のように、制御部１６１は、既定値を、選択された設定値（この例では「右上４００％＿発行番号確認」の設定値）に指定し、すべてのフォルダの既定値を、選択された設定値に変更する。
【００５８】
＜第２３画面＞
一方、図３０に示すように、第２３画面Ｇ２３（サムネイル画像表示画面）において、ユーザーが既定値以外の設定値（この例では「右下３００％＿捺印確認」）を選択すると制御部１６１は、既定値を、選択された設定値（この例では「右下３００％＿捺印確認」の設定値）に指定する。
【００５９】
以上説明した例では、設定値として基準点Ｑ及び拡大率ＥＲを用いたが、その他の設定値として、例えば、サムネイル画像ＳＩの回転角度、サムネイル画像ＳＩの明度、サムネイル画像ＳＩのコントラストなどを用いることができる。
【００６０】
図３１は、設定値としてサムネイル画像ＳＩの回転角度を用いた例を説明するための説明図である。
【００６１】
図３１に示すように、反時計方向に９０度回転しているサムネイル画像ＳＩは、サムネイル画像ＳＩの中央点を中心に時計方向に９０度回転させることで、ユーザーは適正に視認することができる。
【００６２】
以上説明したように、画像処理装置１６は、次の第１実施形態から第３実施形態のような構成とすることができる。
【００６３】
（第１実施形態）
第１実施形態において、制御部１６１は、設定値登録手段Ｐ３をさらに備える設定値登録手段Ｐ３として機能する。すなわち、画像処理プログラムＩＰは、設定値登録手段Ｐ３に対応する設定値登録ステップを含む各ステップを制御部１６１に実行させる。設定値登録手段Ｐ３は、入力された設定値を記憶部１６２に登録する。こうすることで、登録した設定値を再利用することができる。従って、設定値の入力操作の利便性を向上させることができる。
【００６４】
ところで、工場出荷段階において設定値が何も入力されていないと、表示切替手段Ｐ２により、対象となるサムネイル画像ＳＩを、設定したサムネイル画像ＳＩに切り替えることができない。この点、第１実施形態では、記憶部１６２には、工場出荷状態のサムネイル画像ＳＩの位置及び／又は倍率に関する初期設定値が予め登録されている。入力操作受付手段Ｐ１は、少なくとも初期設定値の入力操作を受け付け可能とされている。こうすることで、工場出荷段階において設定値に初期設定値が入力されることが可能であるから、表示切替手段Ｐ２により、サムネイル画像ＳＩを、初期設定値で設定したサムネイル画像に切り替えることができる。
【００６５】
ところで、記憶部１６２に設定値を登録する場合において、記憶部１６２に登録された設定値を選択するときに、ユーザーは登録された設定値がどのような種類の設定になっているかが分からない。この点、第１実施形態では、入力操作受付手段Ｐ１は、設定値の設定名ＳＮを入力する入力操作を受け付ける。設定値登録手段Ｐ３は、入力操作にて入力された設定名ＳＮを記憶部１６２に登録する。こうすることで、記憶部１６２に登録された設定値を選択するときに、ユーザーは登録された設定名ＳＮを確認することができる。これにより、ユーザーが登録された設定値がどのような種類の設定になっているかを認識することができる。
【００６６】
第１実施形態において、入力操作受付手段Ｐ１は、設定値を削除する入力操作を受け付け、設定値登録手段Ｐ３は、入力操作にて入力された削除対象の設定値を記憶部１６２から削除する。こうすることで、記憶部１６２に登録された設定値のうち不要な設定値を記憶部１６２から排除することができる。
【００６７】
第１実施形態において、入力操作受付手段Ｐ１は、記憶部１６２に既に登録されている設定値を編集する第１入力操作を受け付けると共に、記憶部１６２に既に登録されている設定値に「上書き」するか、又は、設定値を記憶部１６２に「新規登録」するか、を選択する第２入力操作を受け付ける。設定値登録手段Ｐ３は、第２入力操作にて入力された選択操作が「上書き」を選択する選択操作である場合には、第１入力操作にて編集された設定値を記憶部１６２に既に登録されている設定値に上書きする。一方、設定値登録手段Ｐ３は、第２入力操作にて入力された選択操作が「新規登録」を選択する選択操作である場合には、第１入力操作にて編集された設定値を記憶部１６２に新規登録する。
【００６８】
こうすることで、記憶部１６２に既に登録されている設定値を利用して編集することができる。しかも、ユーザーは、編集した設定値に対して、既に登録されている設定値に置き換えるか、或いは、新規に登録するかの選択を行うことができる。
【００６９】
（第２実施形態）
ところで、一般的に、各種の設定値の中でも特定の設定値が多用されることが考えられる。この点、第２実施形態では、記憶部１６２に登録した設定値のうち何れか１つを現在の既定値として指定する既定値指定手段Ｐ４をさらに備える。表示切替手段Ｐ２は、設定したサムネイル画像を、既定値指定手段Ｐ４にて指定された既定値で表示部１５ｂに表示する。こうすることで、各種の設定値のなかで、多用されると考えられる特定の設定値を現在の既定値に指定することができる。これにより、設定値の入力操作の利便性を向上させることができる。
【００７０】
（第３実施形態）
ところで、複数のサムネイル画像ＳＩ（１）〜ＳＩ（ｎ）にそれぞれ対応するすべての表示データＤＤ（１）〜ＤＤ（ｎ）に現在の既定値を反映させることが考えられるが、ユーザーによっては、複数の表示データＤＤ（１）〜ＤＤ（ｎ）のうち特定の表示データＤＤ（１）〜ＤＤ（ｉ）にユーザーが入力した設定値（既定値以外の設定値）を反映させたい場合もある。
【００７１】
この点、第３実施形態では、記憶部１６２には、複数のサムネイル画像ＳＩ（１）〜ＳＩ（ｎ）にそれぞれ対応する複数の表示データＤＤ（１）〜ＤＤ（ｎ）に対する既定値以外の設定値の複数の反映対象条件が予め登録されている。入力操作受付手段Ｐ１は、複数の反映対象条件のうち何れか１つを選択する入力操作を受け付ける。表示切替手段Ｐ２は、入力操作にて選択された反映対象条件の表示データＤＤ（１）〜ＤＤ（ｉ）に対応するサムネイル画像ＳＩ（１）〜ＳＩ（ｉ）を、入力された設定値（既定値以外の設定値）で表示部１５ｂに表示する。
【００７２】
こうすることで、複数の表示データＤＤ（１）〜ＤＤ（ｎ）のうち反映対象条件の表示データＤＤ（１）〜ＤＤ（ｉ）にユーザーが入力した設定値（既定値以外の設定値）を反映させることができる。
【００７３】
第３実施形態において、記憶部１６２には、表示データＤＤ（１）〜ＤＤ（ｎ）を保存しておく複数のフォルダ（ホーム＞見積書＞２０１８年＞３月）が設けられている。入力操作受付手段Ｐ１は、反映対象条件として、「特定のフォルダ」か否かを選択する入力操作を受け付ける。表示切替手段Ｐ２は、入力操作にて入力された選択操作が「特定のフォルダ」を選択する選択である場合には、複数のフォルダ（「ホーム」＞「見積書」＞「２０１８年」＞「３月」）のうちの特定のフォルダ（「３月」フォルダ）に保存されている表示データＤＤ（１）〜ＤＤ（ｉ）に対応するサムネイル画像ＳＩ（１）〜ＳＩ（ｉ）を、入力された設定値で表示部１５ｂに表示する。
【００７４】
こうすることで、複数の表示データＤＤ（１）〜ＤＤ（ｎ）のうち「特定のフォルダ」に保存されている表示データＤＤ（１）〜ＤＤ（ｉ）にユーザーが入力した設定値を反映させることができる。
【００７５】
第３実施形態において、入力操作受付手段Ｐ１は、反映対象条件として、「すべてのフォルダ」か否かを選択する入力操作を受け付ける。表示切替手段Ｐ２は、入力操作にて入力された選択操作が「すべてのフォルダ」を選択する選択操作である場合には、現在の既定値を、入力された設定値に変更する。
【００７６】
こうすることで、複数の表示データＤＤ（１）〜ＤＤ（ｎ）のうちすべてのフォルダ（階層構造の最上位にあるルートフォルダ及び下位にあるすべてのフォルダ）に保存されている表示データＤＤ（１）〜ＤＤ（ｎ）にユーザーが入力した設定値を反映させることができる。これにより、複数のフォルダのうちのすべてのフォルダに保存されている表示データＤＤ（１）〜ＤＤ（ｎ）に対応するサムネイル画像ＳＩ（１）〜ＳＩ（ｎ）を、入力された設定値で表示部１５ｂに表示することができる。しかも、この設定以降、現在の既定値を、入力された設定値とすることができる。ここで、反映対象条件としては、例えば、この他、表示データＤＤのファイル名における特定の拡張子のものだけを対象とする反映対象条件を挙げることができる。
【００７７】
ところで、ユーザーが入力した設定値（既定値以外の設定値）を常時反映させることが考えられるが、ユーザーによっては、ユーザーが入力した設定値（既定値以外の設定値）を特定に時期だけに反映させたい場合もある。
【００７８】
この点、第３実施形態では、記憶部１６２には、複数のサムネイル画像ＳＩ（１）〜ＳＩ（ｎ）にそれぞれ対応する複数の表示データＤＤ（１）〜ＤＤ（ｎ）に対する複数の反映時期条件（「設定値のみ」、「常時」）が予め登録されている。入力操作受付手段Ｐ１は、複数の反映時期条件のうち何れか１つを選択する入力操作を受け付ける。表示切替手段Ｐ２は、入力操作にて選択された反映時期条件でサムネイル画像ＳＩ（１）〜ＳＩ（ｉ）を、入力された設定値（既定値以外の設定値）で表示部１５ｂに表示する。こうすることで、入力された設定値（既定値以外の設定値）を、選択された反映時期条件で反映させることができる。
【００７９】
第３実施形態において、入力操作受付手段Ｐ１は、反映時期条件として、「設定時のみ」か、又は、「常時」か、を選択する入力操作を受け付ける。表示切替手段Ｐ２は、入力操作にて入力された選択操作が「設定時のみ」を選択する選択操作である場合には、設定時のみ、サムネイル画像ＳＩ（１）〜ＳＩ（ｉ）を、入力された設定値で表示部１５ｂに表示する。表示切替手段Ｐ２は、入力操作にて入力された選択操作が「常時」を選択する選択操作である場合には、常時、サムネイル画像ＳＩ（１）〜ＳＩ（ｉ）を、入力された設定値で表示部１５ｂに表示する。こうすることで、ユーザーは、入力した設定値を設定時のみ反映させるか又は常時反映させるかを選択することができる。
【００８０】
ところで、設定値を誰でも記憶部１６２に登録できるようにすると、設定値が安定せず、従って、各ユーザーが使い難い。この点、第３実施形態では、設定値登録手段Ｐ３は、設定値を記憶部１６２に登録するユーザーを制限する。こうすることで、設定値を安定化させることができ、これにより、各ユーザーが使い易くすることができる。この場合、例えば、ログイン時にＩＤ及びパスワードを入力することでユーザー認証を行い、特定のユーザー（管理者）の場合にのみ、「管理者用マーク」ボタンＢＴ１を操作できるように（例えば特定のユーザー以外は「管理者用マーク」ボタンＢＴ１を表示しない若しくは表示しても受け付けないように）してもよい。或いは、「管理者用マーク」ボタンＢＴ１を操作したときに、ＩＤ及びパスワードを入力することでユーザー認証を行うようにしてもよい。
【００８１】
ところで、見積書等の書類関係といった類似のサムネイル画像ＳＩ（１）〜ＳＩ（ｉ）が並ぶとこれらのサムネイル画像ＳＩ（１）〜ＳＩ（ｉ）の差異が判別し難い。この点、本実施の形態では、画像処理装置１６は、初期設定時には複数のサムネイル画像ＳＩ（１）〜ＳＩ（ｉ）を所定の基準倍率（１００％）で表示部１５ｂに表示する。設定値は、複数のサムネイル画像ＳＩ（１）〜ＳＩ（ｉ）の所定の基準点と、基準倍率（１００％）より大きい所定の拡大率とを含んでいる。入力操作受付手段Ｐ１は、基準点及び拡大率を入力する入力操作を受け付ける。表示切替手段Ｐ２は、設定したサムネイル画像ＳＩ（１）〜ＳＩ（ｉ）を、サムネイル画像ＳＩ（１）〜ＳＩ（ｉ）の表示サイズを維持した状態で、入力された基準点を固定しつつ入力された拡大率に拡大する。こうすることで、設定したサムネイル画像ＳＩ（１）〜ＳＩ（ｉ）の差異を判別し易くすることができる。
【００８２】
ところで、例えば、外部記憶装置から表示データＤＤを入力する場合、或いは、原稿搬送部１１ａ（原稿送り装置）で原稿を読み取る場合において、入力された表示データＤＤのサムネイル画像ＳＩ、或いは、読み取った原稿のサムネイル画像ＳＩが９０度又は１８０度回転していて見難い場合がある。この点、第３実施形態では、設定値は、複数のサムネイル画像ＳＩ（１）〜ＳＩ（ｉ）の回転角度を含んでいる。入力操作受付手段Ｐ１は、回転角度を入力する入力操作を受け付ける。表示切替手段Ｐ２は、設定したサムネイル画像ＳＩ（１）〜ＳＩ（ｉ）を、入力された回転角度に回転する。こうすることで、入力された表示データＤＤのサムネイル画像ＳＩ、或いは、読み取った原稿のサムネイル画像ＳＩを正規の見易い画像にすることができる。
【００８３】
本実施の形態において、入力操作受付手段Ｐ１は、設定値の設定画面（設定値の登録画面の表示例欄Ｇｅ）において切り替えたサムネイル画像ＳＩ（１）〜ＳＩ（ｉ）をプレビュー表示する。こうすることで、ユーザーは、切り替えたサムネイル画像ＳＩ（１）〜ＳＩ（ｉ）を設定値の設定画面（設定値の登録画面の表示例欄Ｇｅ）ですぐに視認することができる。
【００８４】
（その他の実施形態）
本実施の形態では、画像処理装置１６を画像形成装置１０に適用したが、多機能通信携帯端末装置（例えばスマートフォン）等の携帯端末装置に適用してもよい。この場合、画像処理プログラムＩＰは、携帯端末装置等に用いられるプログラム、所謂アプリと称されるものとされ、予めインストールされるか、又は、図示しないプログラムサーバからインターネット等の通信手段を介してダウンロードされてインストールされる。
【００８５】
なお、サムネイル画像ＳＩ（１）〜ＳＩ（ｉ）の視認性を向上させるものとして、サムネイル画像ＳＩ（１）〜ＳＩ（ｉ）の位置や倍率の他、色及び／又は濃度などを例示できる。
【００８６】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００８７】
１０    画像形成装置
１１    画像読取部
１１ａ  原稿搬送部
１１ｂ  原稿読取部
１５    操作表示部
１５ｂ  表示部
１５ｄ  情報入出力部
１６    画像処理装置
１６１  制御部
１６２  記憶部
ＤＢ１  ダイアログボックス
ＤＢ２  ダイアログボックス
ＤＤ    表示データ
ＥＲ    拡大率
Ｇａ    表示欄
Ｇｂ    プルダウンメニュー
Ｇｃ    登録表示欄
Ｇｄ    設定欄
Ｇｅ    表示例欄
ＩＭ    表示画像
ＩＰ    画像処理プログラム
Ｍ      ＵＳＢメモリー
Ｐ１    入力操作受付手段
Ｐ２    表示切替手段
Ｐ３    設定値登録手段
Ｐ４    既定値指定手段
Ｑ      基準点
ＳＩ    サムネイル画像
ＳＮ    設定名
【図１】
2020135753.tif 000003
【図２】
2020135753.tif 000004
【図３】
2020135753.tif 000005
【図４】
2020135753.tif 000006
【図５】
2020135753.tif 000007
【図６】
2020135753.tif 000008
【図７】
2020135753.tif 000009
【図８】
2020135753.tif 000010
【図９】
2020135753.tif 000011
【図１０】
2020135753.tif 000012
【図１１】
2020135753.tif 000013
【図１２】
2020135753.tif 000014
【図１３】
2020135753.tif 000015
【図１４】
2020135753.tif 000016
【図１５】
2020135753.tif 000017
【図１６】
2020135753.tif 000018
【図１７】
2020135753.tif 000019
【図１８】
2020135753.tif 000020
【図１９】
2020135753.tif 000021
【図２０】
2020135753.tif 000022
【図２１】
2020135753.tif 000023
【図２２】
2020135753.tif 000024
【図２３】
2020135753.tif 000025
【図２４】
2020135753.tif 000026
【図２５】
2020135753.tif 000027
【図２６】
2020135753.tif 000028
【図２７】
2020135753.tif 000029
【図２８】
2020135753.tif 000030
【図２９】
2020135753.tif 000031
【図３０】
2020135753.tif 000032
【図３１】
2020135753.tif 000033